(57)【要約】【課題】開封作業の場所を必要とせず簡単にビニール袋を開封することのできるビニール袋開封器を提供する。【解決手段】可動部材６の端部６ａが軸８を中心として矢印Ｃの方向に回動すると、第２の把持部１２は、第１の把持部１１に対して矢印Ｄの方向に移動する。このとき、ビニール袋１３の第１側面部１３ａが第１の把持部１１に把持されると共にビニール袋１３の第２側面部１３ｂが第２の把持部１２に把持されているので、第２側面部１３ｂが第１側面部１３ａに対してずれる。【選択図】図２
2010264995.tif 000002
【特許請求の範囲】
【請求項１】
第１側面部及び第２側面部が重なり合ったビニール袋の前記第１側面部を把持する第１の把持部及び前記第２側面部を把持する第２の把持部を備え、
前記第２の把持部は、前記第１の把持部との間に前記ビニール袋を挟みながら、前記第１の把持部に対して移動するビニール袋開封器。
【請求項２】
前記第１の把持部が設けられた第１の基台と、
前記第１の基台に対して移動可能な第２の基台と、
該第２の基台に対して移動可能であると共に前記第２の把持部が設けられた可動部材と
を備え、
前記可動部材が前記第２の基台に対して移動することにより、前記第２の把持部は、前記第１の把持部との間に前記ビニール袋を挟みながら、前記第１の把持部に対して移動する、請求項１に記載のビニール袋開封器。
【請求項３】
前記第２の基台は、その一方の端部が前記第１の基台に近づく方向及び離れる方向に回動可能であり、
前記可動部材は、その一方の端部が前記第２の基台に近づく方向及び離れる方向に回動可能であり、
前記可動部材の前記一方の端部が前記第２の基台から離れる方向に前記可動部材に力を加える偏向手段をさらに備える、請求項２に記載のビニール袋開封器。
【請求項４】
前記第１の把持部及び前記第２の把持部は弾性材からなる、請求項１〜３のいずれか一項に記載のビニール袋開封器。
【発明の詳細な説明】
【技術分野】
【０００１】
この発明は、ビニール袋開封器に関する。
【背景技術】
【０００２】
スーパーマーケット等で買い物をした時に渡されるビニール製の持ち帰り袋に、購入した商品を入れる際、手が乾燥していたりすると、持ち帰り袋を開封しにくい場合がある。このような場合には、濡れ雑巾で指を濡らすか又は指に唾液を付けることによって指が滑らないようにして、持ち帰り袋を開封することが多い。しかしながら、濡れ雑巾で指を濡らす場合には衛生上の問題があり、指に唾液を付ける場合には、人前でそのようなことをするのが恥ずかしいといった問題がある。このような問題を解決するために、特許文献１には、開封容易なビニール袋が開示され、特許文献２には、持ち帰り袋を開封するための開封マットが開示されている。
【先行技術文献】
【特許文献】
【０００３】
【特許文献１】特開２００８−３７４２４号公報
【特許文献２】特開２００５−５９９５２号公報
【発明の概要】
【発明が解決しようとする課題】
【０００４】
しかしながら、特許文献１は、普通のビニール袋を使用する場合には上記問題点を解決することにはなっていない。また、引用文献２の場合には、開封マットを置いて作業する場所が必要になるといった問題点があった。
【０００５】
この発明はこのような問題点を解決するためになされたもので、開封作業の場所を必要とせず簡単にビニール袋を開封することのできるビニール袋開封器を提供することを目的とする。
【課題を解決するための手段】
【０００６】
この発明に係るビニール袋開封器は、第１側面部及び第２側面部が重なり合ったビニール袋の前記第１側面部を把持する第１の把持部及び前記第２側面部を把持する第２の把持部を備え、前記第２の把持部は、前記第１の把持部との間に前記ビニール袋を挟みながら、前記第１の把持部に対して移動する。ここで、「把持する」とは、第１の把持部及び第２の把持部がビニール袋に対して滑らないことを意味する。また、ビニール袋とは、透明の一般的なビニール袋だけではなく、スーパーマーケット等で渡されるような手で持つ部分を備えた持ち帰り袋も含み、樹脂製の袋状のものを全て含むものとする。
前記第１の把持部が設けられた第１の基台と、前記第１の基台に対して移動可能な第２の基台と、該第２の基台に対して移動可能であると共に前記第２の把持部が設けられた可動部材とを備え、前記可動部材が前記第２の基台に対して移動することにより、前記第２の把持部は、前記第１の把持部との間に前記ビニール袋を挟みながら、前記第１の把持部に対して移動してもよい。
前記第２の基台は、その一方の端部が前記第１の基台に近づく方向及び離れる方向に回動可能であり、前記可動部材は、その一方の端部が前記第２の基台に近づく方向及び離れる方向に回動可能であり、前記可動部材の前記一方の端部が前記第２の基台から離れる方向に前記可動部材に力を加える偏向手段をさらに備えてもよい。
前記第１の把持部及び前記第２の把持部は弾性材から形成されてもよい。
【発明の効果】
【０００７】
この発明によれば、第１の把持部及び第２の把持部でビニール袋を挟み、第２の把持部が第１の把持部に対して移動することにより、重なり合ったビニール袋がずれるので、開封作業の場所を必要とせず簡単にビニール袋を開封することができる。
【図面の簡単な説明】
【０００８】
【図１】この発明の実施の形態に係るビニール袋開封器の側面図である。
【図２】この発明の実施の形態に係るビニール袋開封器を使用してビニール袋を開封する機構を説明するための部分拡大側面図である。
【図３】この発明の実施の形態に係るビニール袋開封器を使用してビニール袋を開封する機構を説明するための部分拡大側面図である。
【発明を実施するための形態】
【０００９】
以下、この発明の実施の形態を添付図面に基づいて説明する。
この実施の形態に係るビニール袋開封器の側面図を図１に示す。ビニール袋開封器１は、第１の基台２及び第２の基台３を備えている。第１の基台２は、平板形状を有すると共に、端部２ａ側の約半分くらいの部分に側面部を有している。第２の基台３は、４つの直方形の面及び２つの正方形の面からなる直方体形状を有し、４つの長方形の面のうちの１つの面が開口している。第２の基台３のこの開口した面を第１の基台２に対向させるようにして、第１の基台２の端部２ａと第２の基台３の端部３ａとが、軸５によって回転可能に接続されている。これにより、第２の基台３は、端部３ａとは反対側の端部３ｂが軸５を中心として第１の基台２に近づく方向及び離れる方向（矢印Ａの方向）に回動可能になっている。また、軸５にはばね部材１０が巻かれており、ばね部材１０の両端部がそれぞれ第１の基台２及び第２の基台３に当接している。これにより、ユーザーが手で第２の基台３の端部３ｂを第１の基台２に近づく方向に回動させた後、ユーザーが手を離すと、ばね部材１０の弾性力により、端部３ｂが第１の基台２から離れる方向に回動し、図１に示された状態に戻るようになっている。
【００１０】
第２の基台３には、第１の基台２に向かって突出するように湾曲した弓型形状を有する可動部材６が、軸８によって回転可能に設けられている。可動部材６のうち、軸８から最も遠い部分付近を可動部材６の一つの端部６ａと定義すると、端部６ａは、軸８を中心として第２の基台３に近づく方向及び離れる方向（矢印Ｂの方向）に回動可能になっている。また、一端が第２の基台３に当接すると共に他端が可動部材６に当接するばね部材９が設けられ、ばね部材９は、端部６ａが第２の基台３から離れる方向に可動部材６に力を加えている。ここで、ばね部材９は、偏向手段を構成する。
【００１１】
第１の基台２には、端部２ｂから端部２ａに向かって延びるゴム製のシート状の第１の把持部１１が設けられている。可動部材６には、第１の把持部１１に対向する位置に、ゴム製のシート状の第２の把持部１２が設けられている。第２の基台３の端部３ｂが第１の基台２に近づく方向に回動すると、第２の把持部１２の一部が第１の把持部１１に接触するようになっている。
【００１２】
次に、この発明の実施の形態に係るビニール袋開封器の動作について説明する。
図２に示されるように、第１側面部１３ａ及び第２側面部１３ｂが重なり合ったビニール袋１３を、第１の把持部１１及び第２の把持部１２によって挟む。このとき、第１の把持部１１はビニール袋１３の第１側面部１３ａに接触し、第１の把持部１１がゴム製であることから、第１の把持部１１は第１側面部１３ａに対して滑ることなく、第１側面部１３ａをしっかりと把持している。また、第２の把持部１２はビニール袋１３の第２側面部１３ｂに接触し、第２の把持部１２がゴム製であることから、第２の把持部１２は第２側面部１３ｂに対して滑ることなく、第２側面部１３ｂをしっかりと把持している。尚、図２と、後述する図３において、ビニール袋１３が描かれているが、説明の便宜のために、ビニール袋１３の第１側面部１３ａ及び第２側面部１３ｂの厚さを誇張して描いている。
【００１３】
第２の基台３の端部３ｂ（図１参照）をさらに第１の基台２に近づける方向に回動させると、可動部材６の端部６ａが軸８を中心として矢印Ｃの方向に回動する。すると、第２の把持部１２は、第１の把持部１１に対して矢印Ｄの方向に移動する。このとき、ビニール袋１３の第１側面部１３ａが第１の把持部１１に把持されると共にビニール袋１３の第２側面部１３ｂが第２の把持部１２に把持されているので、図３に示されるように、第２側面部１３ｂが第１側面部１３ａに対してずれる。
【００１４】
この後、ビニール袋１３を、第１の把持部１１と第２の把持部１２との間から取り外し、第１側面部１３ａと第２側面部１３ｂがずれた部分をユーザーが指で摘むことにより、ビニール袋１３が簡単に開封される。尚、この動作中、ユーザーは、ビニール袋１３及びビニール袋開封器１を、作業台等の上に置いて作業する必要はなく、ユーザーは、片手でビニール袋１３を持ち、反対の手でビニール袋開封器１を操作することにより、ビニール袋１３を開封することができる。
【００１５】
このように、第１の把持部１１及び第２の把持部１２でビニール袋１３を挟み、第２の把持部１２が第１の把持部１１に対して移動することにより、重なり合ったビニール袋１３の第１側面部１３ａ及び第２側面部１３ｂが互いに対してずれるので、開封作業の場所を必要とせず簡単にビニール袋１３を開封することができる。
【００１６】
この実施の形態では、第１の基台２と第２の基台３とは、第１の基台２の端部２ａと第２の基台３の端部３ａとが回転可能となるように、軸５によって接続されているが、この形態に限定するものではない。第１の基台２に対して第２の基台３が移動可能であり、第１の基台２と、第２の基台３に設けられた可動部材６との間にビニール袋１３を挟んだり取り外したりできるような構成であれば、どのような形態であってもよい。
【００１７】
この実施の形態では、第１の把持部１１及び第２の把持部１２は、ゴム製のシート状の部材であったが、これに限定するものではない。第１の把持部１１及び第２の把持部１２がそれぞれ第１側面部１３ａ及び第２側面部１３ｂを把持してずれないようなものならばどのようなものでもよく、ゴム以外の弾性材から形成したものでもよく、また、機械的な構成によって第１側面部１３ａ及び第２側面部１３ｂをそれぞれ把持するものであってもよい。
【００１８】
この実施の形態では、第１の基台２に向かって突出するように湾曲した弓型形状を有する可動部材６が、偏向手段であるばね部材９によって、端部６ａが第２の基台３から離れる方向に力を加えられている構成であったが、このような構成に限定するものではない。可動部材６は弓型形状に限定されず、どのような形状であってもよい。また、ばね部材９を設ける構成ではなく、機械的な機構によって、可動部材を第２の基台３に対して移動させる構成であってもよい。
【符号の説明】
【００１９】
１  ビニール袋開封器、２  第１の基台、３  第２の基台、３ｂ  （第２の基台の）端部（一方の端部）、６  可動部材、６ａ  （可動部材の）端部（一方の端部）、９  ばね部材（偏向手段）、１１  第１の把持部、１２  第２の把持部、１３  ビニール袋、１３ａ  （ビニール袋の）第１側面部、１３ｂ  （ビニール袋の）第２側面部。
【図１】
2010264995.tif 000003
【図２】
2010264995.tif 000004
【図３】
2010264995.tif 000005